(57)【要約】      （修正有）【課題】粘着テープの切断端を適切に折り返すことができるテープカッター及びテープディスペンサを提供すること。【解決手段】テープカッター５０は、刃５２、ベース体５１、弾性板５３、折返し板（折返し部材）５４、刺衝部材６０及び弾性体５８を備えている。刺衝部材６０は、刺衝体６３を有し、これが粘着テープに突き刺さることにより、粘着テープを位置決めして保持する。刺衝部材６０は、ベース体５１から立設されるように、また、弾性板５３の貫通口５３ｄを通るようにして、ベース体５１の上面に取り付けられている。【選択図】図２
2014009092.tif 000002
【特許請求の範囲】
【請求項１】
ベース体と、
前記ベース体に設けられ、粘着面及び非粘着面を有する粘着テープの前記非粘着面側から、前記粘着テープを切断することが可能な刃と、
前記ベース体に設けられた第１の軸部と、
前記第１の軸部を介して前記ベース体に弾性的に装着され、前記粘着テープが引き出されて前記刃により前記粘着テープが切断される時に、前記弾性力に抗して前記粘着テープの前記非粘着面に押圧される弾性板と、
前記弾性板に設けられた第２の軸部と、
前記引き出された粘着テープに向けて立設され、前記立設の方向に沿った軸の周りに捩れるように設けられた刺衝体と、
前記第２の軸部を介して前記弾性板に回動可能に装着され、前記切断後の前記弾性板の戻り力を利用して前記非粘着面と接しながら前記第２の軸部を中心に回動することで、前記刺衝体により突き刺された前記粘着テープの切断端を所定の位置まで折り返す折返し部材と
を具備するテープカッター。
【請求項２】
請求項１に記載のテープカッターであって、
前記刺衝体は板状である
テープカッター。
【請求項３】
請求項２に記載のテープカッターであって、
前記刺衝体は、前記粘着テープを刺すことが可能な、曲線に沿って設けられた全体形状を有する先端面を有し、
前記先端面は、前記曲線に沿って配列された複数の歯を有する
テープカッター。
【請求項４】
請求項１から３のうちいずれか１項に記載のテープカッターであって、
前記刺衝体は、複数の刺衝体により構成されている
テープカッター。
【請求項５】
請求項１に記載のテープカッターであって、
前記刺衝体は、それぞれ板状に設けられた複数の刺衝体により構成されている
テープカッター。
【請求項６】
請求項５に記載のテープカッターであって、
前記複数の刺衝体のうち少なくとも１つは、前記粘着テープの引き出し方向に向かうにしたがって前記引き出された粘着テープから離れるように設けられた先端面を有する
テープカッター。
【請求項７】
請求項５に記載のテープカッターであって、
前記複数の刺衝体のうち少なくとも２つは、それら少なくとも２つの刺衝体の立設方向で見て、前記粘着テープの引き出し方向に向かうにしたがって互いの距離が近づくように設けられた先端面をそれぞれ有する
テープカッター。
【請求項８】
請求項１から７のうちいずれか１項に記載のテープカッターであって、
前記弾性板は貫通口を有し、
前記刺衝体が、前記弾性板の前記貫通口を通るようにして前記ベース体に立設されている
テープカッター。
【請求項９】
請求項１から８のうちいずれか１項に記載のテープカッターであって、
前記弾性板または折返し部材に設けられ、前記粘着テープの折返し後に、前記折返し部材を押し戻す弾性体をさらに具備する
テープカッター。
【請求項１０】
請求項９に記載のテープカッターであって、
前記弾性体はスポンジである
テープカッター。
【請求項１１】
請求項１から１０のうちいずれか１項に記載のテープカッターであって、
前記刺衝体は、３０°以上１８０°以下の角度で捩れている
テープカッター。
【請求項１２】
粘着面及び非粘着面を有し巻回された粘着テープを保持可能な保持部と、
前記粘着テープを引き出すために、前記保持部を回転可能に支持することが可能な本体と、
ベース体と、
前記ベース体に設けられ、前記粘着テープの前記非粘着面側から、前記粘着テープを切断することが可能な刃と、
前記ベース体に設けられた第１の軸部と、
前記第１の軸部を介して前記ベース体に弾性的に装着され、前記粘着テープが引き出されて前記刃により前記粘着テープが切断される時に、前記弾性力に抗して前記粘着テープの前記非粘着面に押圧される弾性板と、
前記弾性板に設けられた第２の軸部と、
前記引き出された粘着テープに向けて立設され、前記立設の方向に沿った軸の周りに捩れるように設けられた刺衝体と、
前記第２の軸部を介して前記弾性板に回動可能に装着され、前記切断後の前記弾性板の戻り力を利用して前記非粘着面と接しながら前記第２の軸部を中心に回動することで、前記刺衝体により突き刺された前記粘着テープの切断端を所定の位置まで折り返す折返し部材と
を含み、前記本体に設けられたテープカッターと
を具備するテープディスペンサ。
【発明の詳細な説明】
【技術分野】
【０００１】
本発明は、粘着テープの端部を折り返すことが可能なテープカッター及びこれを搭載したディスペンサに関する。
【背景技術】
【０００２】
粘着テープを切断するテープカッターとして、ユーザが利用しやすいように粘着テープの端部を所定の長さだけ折り返すことが可能なテープカッターがある（例えば、特許文献１参照。）。粘着テープの端部が折り返されることにより、非粘着部が形成され、利用者はその非粘着部を持ってテープを貼ったり剥がしたりすることができ、便利である。
【０００３】
このテープカッターでは、予め粘着面が上面（非粘着面が下面）になるように、リング状の粘着テープが保持部に保持されている。その図８〜１０に示されるように、ユーザが粘着テープ（５）の端部を摘んで引き出し、テープカッターの弾性板（２２）を、粘着テープで下方へ押圧することにより、軸部（２３）に接続された弾性板（２２）が下方へ下がり、刃により粘着テープが切断される。そうすると、弾性板（２２）は自身が持っている弾性力により元の位置に（上方に）戻る。弾性板（２２）が元の位置に戻るとき、弾性板（２２）に接続された折返し板（２８）が、弾性板（２２）の戻り力を利用して軸部（２９）を中心に回転し、切断後に保持部側に残された粘着テープの端部が折り返される。
【０００４】
また、このテープカッターでは、ユーザが粘着テープを引き出し、弾性板（２２）を押圧したときに、ベース部材（２１）の下部から突き出るように設けられたピン（３０）が粘着テープの下面から突き刺さる。これにより、粘着テープが切断される時、または、折返し板が折り返されて粘着テープの端部が折り返される時、粘着テープが滑ったり横方向にずれたりすることを抑制することができる（特許文献１の明細書段落[００５１]記載）。
【先行技術文献】
【特許文献】
【０００５】
【特許文献１】国際公開第２００６−０８５３９８号公報
【発明の概要】
【発明が解決しようとする課題】
【０００６】
しかしながら、上記の構成では、粘着テープがピンに突き刺さってもすぐにピンから外れてしまうという問題がある。その場合、粘着テープの端部が折り返される時の粘着テープの位置が安定せず、うまく端部を折り返すことができない。
【０００７】
本技術の目的は、粘着テープの切断端を適切に折り返すことができるテープカッター及びテープディスペンサを提供することにある。
【課題を解決するための手段】
【０００８】
上記目的を達成するため、本発明の一形態に係るテープカッターは、ベース体と、刃と、第１の軸部と、弾性板と、第２の軸部と、刺衝体と、折返し部材とを具備する。
前記刃は、前記ベース体に設けられ、粘着面及び非粘着面を有する粘着テープの前記非粘着面側から、前記粘着テープを切断することが可能である。
前記第１の軸部は、前記ベース体に設けられている。
前記弾性板は、前記第１の軸部を介して前記ベース体に弾性的に装着され、前記粘着テープが引き出されて前記刃により前記粘着テープが切断される時に、前記弾性力に抗して前記粘着テープの前記非粘着面に押圧される。
前記第２の軸部は、前記弾性板に設けられている。
前記刺衝体は、前記引き出された粘着テープに向けて立設され、前記立設の方向に沿った軸の周りに捩れるように設けられている。
前記折返し部材は、前記第２の軸部を介して前記弾性板に回動可能に装着され、前記切断後の前記弾性板の戻り力を利用して前記非粘着面と接しながら前記第２の軸部を中心に回動することで、前記刺衝体により突き刺された前記粘着テープの切断端を所定の位置まで折り返す。
【０００９】
刺衝体が、立設の方向に沿った軸周りに捩れるように設けられているので、刺衝体に突き刺さった粘着テープと、その刺衝体との摩擦力を大きくすることができる。したがって、粘着テープが刺衝体から外れにくくなる。これにより、折返し部材による粘着テープの折り返し時に、粘着テープの位置が安定するため、折返し部材は、粘着テープの切断端を適切に折り返すことができ、確実に折り返し部を形成することができる。
【００１０】
前記刺衝体は板状であってもよい。
【００１１】
前記刺衝体は、前記粘着テープを刺すことが可能な、曲線に沿って設けられた全体形状を有する先端面を有してもよい。また、前記先端面は、前記曲線に沿って配列された複数の歯を有してもよい。複数の歯が設けられることにより、刺衝体は粘着テープを突き刺やすくなり、その一方で、先端面の全体形状が曲線状に設けられているので、安全性を高めることができる。
【００１２】
前記刺衝体は、複数の刺衝体により構成されていてもよい。複数の刺衝体が設けられることにより、刺衝体と粘着テープとの摩擦力をさらに大きくすることができ、刺衝体による粘着テープの保持位置の安定度を高めることができる。
【００１３】
前記刺衝体は、それぞれ板状に設けられた複数の刺衝体により構成されていてもよい。
【００１４】
前記複数の刺衝体のうち少なくとも１つは、前記粘着テープの引き出し方向に向かうにしたがって前記引き出された粘着テープから離れるように設けられた先端面を有してもよい。
【００１５】
前記複数の刺衝体のうち少なくとも２つは、それら少なくとも２つの刺衝体の立設方向で見て、前記粘着テープの引き出し方向に向かうにしたがって互いの距離が近づくように設けられた先端面をそれぞれ有してもよい。
【００１６】
前記弾性板は貫通口を有し、前記刺衝体が、前記弾性板の前記貫通口を通るようにして前記ベース体に立設されていてもよい。
【００１７】
前記テープカッターは、前記弾性板または折返し部材に設けられ、前記粘着テープの折返し後に、前記折返し部材を押し戻す弾性体をさらに具備してもよい。
【００１８】
前記弾性体はスポンジであってもよい。
【００１９】
前記刺衝体は、３０°以上１８０°以下の角度で捩れていてもよい。
【００２０】
本発明の一形態に係るテープディスペンサは、保持部と、本体と、前記本体に設けられた、上述したテープカッターとを具備する。
前記保持部は、粘着面及び非粘着面を有し巻回された粘着テープを保持する。
前記本体は、前記粘着テープを引き出すために、前記保持部を回転可能に支持することが可能である。
【発明の効果】
【００２１】
以上、本発明によれば、粘着テープの切断端を適切に折り返すことができる。
【図面の簡単な説明】
【００２２】
【図１】図１は、本発明の第１の実施形態に係るテープディスペンサを示す斜視図である。
【図２】図２は、そのテープディスペンサに搭載されるテープカッターを示す斜視図である。
【図３】図３は、テープカッターを示す平面図である。
【図４】図４は、テープカッターを示す側面図である。
【図５】図５は、刺衝部材を示す斜視図である。
【図６】図６は、刺衝部材を示す正面図である。
【図７】図７は、刺衝部材を示す平面図である。
【図８】図８は、刺衝部材を示す側面図である。
【図９】図９Ａ〜Ｃは、テープカッターの動作を順に示す図である。
【図１０】図１０Ａ〜Ｃは、図９Ｃに続く、テープカッターの動作を順に示す図である。
【図１１】図１１は、刺衝体により粘着テープが突き刺された状態を示す。
【図１２】図１２は、本発明の第２の実施形態に係る刺衝部材をそれぞれ示す平面図である。
【図１３】図１３は、図１２に示す刺衝部材を示す正面図である。
【図１４】図１４は、本発明の第３の実施形態に係る刺衝部材を示す斜視図である。
【図１５】図１５は、図１４に示した刺衝体の拡大図である。
【図１６】本発明の第４の実施形態に係るテープディスペンサを示す斜視図である。
【発明を実施するための形態】
【００２３】
以下、本発明の実施の形態を図面に基づき説明する。
【００２４】
[第１の実施形態]
【００２５】
（テープディスペンサの構成）
図１は、本発明の第１の実施形態に係るテープディスペンサを示す斜視図である。
【００２６】
テープディスペンサ１００は、テープカッター５０と、粘着テープ５を保持する保持部としてのドラム６と、ドラム６を回転可能に支持する本体１とを有する。
【００２７】
本体１は、２つの側板２と、各側板２の端部に接続されて固定された、テープカッター５０を支持する支持台４とを有する。２つの側板２の、互いに向かい合うそれぞれの内側には、それらの側板２の上部から切り欠かれるように設けられた溝７が形成されている。ドラム６の中心に設けられた図示しない回転軸がその溝７に係合し、これによりドラム６が本体１に対して回転可能となっている。
【００２８】
通常のテープディスペンサでは、ユーザの視点から見て上面に、粘着テープの非粘着面が露出するように粘着テープが本体に保持される。しかし、本実施形態では、ユーザの視点から見て上面に粘着面が露出し、下面に非粘着面が露出するように粘着テープ５がドラム６に保持されている。すなわち、粘着テープ５は、ユーザにより、その粘着テープ５の上方ではなく下方から引き出され、回転しながら矢印Ｃの方向に引き出される。
【００２９】
粘着テープ５は、一般的なものでありリール８に巻回されたものが用いられる。粘着テープ５は、例えばセロファンテープが用いられるが、ガムテープ、樹脂（例えばビニールなど）テープ等、何でもよい。
【００３０】
（テープカッターの構成）
図２は、テープカッター５０を示す斜視図である。図３はテープカッター５０の平面図であり、図４はその側面図である。
【００３１】
テープカッター５０は、刃５２、ベース体５１、弾性板５３、折返し板（折返し部材）５４、刺衝部材６０及び弾性体５８を備えている。
【００３２】
ベース体５１と弾性板５３とは軸部（第１の軸部）５５により接続されている。軸部５５は、粘着テープ５の引き出し方向（ｘ方向）に直交する方向（ｙ方向）に沿って設けられている。例えば、ベース体５１における、ｘ方向の端部（本体１が配置される側の端部）には、軸保持部５１ａが設けられている。弾性板５３は、軸保持部５１ａを挟むように形成された凹部５３ｂを有する。図３に示すように、軸部５５は、その軸保持部５１ａ及び凹部５３ａに挿通されている。
【００３３】
粘着テープ５を切断するための刃５２は、ベース体５１の軸保持部５１ａが設けられる側の反対側に装着されている。弾性板５３は、軸部５５を介してベース体５１に弾性的に装着されており、軸部５５を中心に所定の角度分回転するようになっている。図３及び４に示すように、弾性板５３とベース体５１との間には例えばコイルバネ５９が設けられ、これにより弾性板５３はベース体５１に対して弾性力を有する。コイルバネ５９は、例えば、刺衝部材６０と軸部５５との間の領域で、弾性板５３の下面側に接続されている。
【００３４】
折返し板５４と弾性板５３との間には軸部（第２の軸部）５６が接続され、折返し板５４は弾性板５３に対して軸部５６を中心に回動するようになっている。例えば、弾性板５３の、ｘ方向の端部（凹部５３ａ側の反対側の端部）には、軸保持部５３ｂが設けられている。折返し板５４は、この軸保持部５３ｂを挟むように形成された凹部５４ａを有する。図３に示すように、軸部５６は、その軸保持部５３ｂ及び凹部５４ａに挿通されている。
【００３５】
折返し板５４の、ｘ方向において、軸部５６が設けられた側の反対側の端部には、表面から突出するようにフランジ部５４ｂが形成されている。後述するように、テープカッター５０の動作時において折返し板５４が折り返された時に、フランジ部５４ｂが、粘着テープ５を介して粘着テープ５を押圧する。
【００３６】
折返し板５４の凹部５４ａのｘ方向の深さは、図３に示すように、折返し板５４のフランジ部５４ｂと、軸保持部５３ｂの端面との間に空間５４ｃが形成されるようなサイズに設定されている。これは、後述するように、折返し板５４が作動した時、折返し板５４と、刺衝部材６０の刺衝体６３とが干渉しないようにするための空間である。
【００３７】
なお、図２及び３に示すように、弾性板５３の、軸部５５に沿った方向における両側には、折返し板５４が折り返された時に、折返し板５４のその両側が位置する切り欠き斜面５３ｃが形成されている。
【００３８】
図４に示すように、テープカッター５０の非動作時において、弾性板５３及び折返し板５４は、実質的に１８０°、あるいはこれに近い角度を維持するようにそれらの姿勢が保たれている。つまり、軸部５６は、折返し板５４を、図４においてこれ以上時計回りに回転させることがないような図示しないストッパを有するヒンジ機構となっている。
【００３９】
また、このような非動作時においては、ベース体５１の上面５１ｂと、弾性板５３（及び折返し板５４）の下面との間には予め空間が形成されている。例えばベース体５１の上面５１ｂは、粘着テープ５の引き出し方向に向かうにしたがって低くなる斜面となっている。テープカッター５０の動作時において、ユーザが、弾性板５３及び折返し板５４をコイルバネ５９の付勢力に抗して下方へ下げることができるように、上記空間が形成される。
【００４０】
（刺衝部材の構成）
刺衝部材６０は、粘着テープ５に突き刺さることにより、粘着テープ５を位置決めして保持する機能を有する。図３及び４に示すように、刺衝部材６０は、ベース体５１の上面に取り付けられ、その一部が、弾性板５３の中央に設けられた貫通口５３ｄを介して弾性板５３の上面から露出している。
【００４１】
図５は、刺衝部材６０を示す斜視図である。図６は、この刺衝部材６０を示す正面図である。図７及び８は、この刺衝部材６０を示す平面図及び側面図である。
【００４２】
刺衝部材６０は、例えば金属板で一体的な金属板により構成される。刺衝部材６０は、樹脂により構成されていてもよい。刺衝部材６０は、ベース板６１と、ベース板６１の一辺における中央部から立設する、複数の刺衝体６３を含む立設板６２とを有する。刺衝体６３は例えば２つ設けられている。
【００４３】
図８に示すように、立設板６２は、垂直に近い角度（例えば７０〜８５°程度）でベース板６１に立設されている。図２及び４に示すように、ベース板６１は、ベース体５１の上面に、接着または図示しないネジ等によって固定されている。ベース板６１に対する立設板６２の上記角度は、ベース板６１がベース体５１に取り付けられた場合に、立設板６２の立設方向が、地面（例えばテープディスペンサが置かれるデスク上の面など）に対して実質的に鉛直方向に沿うような角度として設定されている。しかし、立設板６２の立設方向は、地面に対して鉛直方向からずれていてもよく、適宜変更可能である。
【００４４】
図５に示すように、２つの刺衝体６３は、立設板６２の端部（上端部）に矩形状の切り欠き６４が設けられることにより形成されている。また、これらの刺衝体６３は、この立設方向に沿った軸の周りに捩じれるように設けられている。典型的には、刺衝体６３は、立設板６２の面６２ａを基準として、９０°捩じれるように設けられている。これにより、元々は板状であった刺衝体６３が、実質的な立体物として構成される。
【００４５】
図４に示すように、このように構成された刺衝体６３を含む立設板６２が、ベース体５１から立設されるように、かつ、２つの刺衝体６３がｙ方向に配列されて弾性板５３の貫通口５３ｄを通るように、この刺衝部材６０がベース体５１に取り付けられている。
【００４６】
２つの刺衝体６３間の間隔（ｙ方向の距離）は、粘着テープ５の幅より短く設定されている。この間隔は、これらの刺衝体６３の両方が粘着テープ５に突き刺さることができるように設定された間隔である。
【００４７】
刺衝体６３の先端面６３ａは、粘着テープ５が引き出される方向に向かうにしたがって、引き出された粘着テープ５の下面（非粘着面５ｂ）から離れるように設けられている。すなわち、引き出し方向へ向かうにしたがって、それら先端面６３ａが斜め下方向に形成されている。これにより、後述するように、引き出された粘着テープ５が、刺衝体６３に突き刺されやすくなる。
【００４８】
弾性体５８は、弾性板５３の上面に設けられている。後述するように、折返し板５４が、弾性板５３に重なるように折り返した時に、この弾性体５８にぶつかり、弾性体５８の反発力によって、折返し板５４は、元の静止状態の位置（図２〜４参照）に戻される。弾性体５８のｙ方向の幅は、例えば粘着テープ５の幅と同じ程度に設定されるが、適宜変更可能である。
【００４９】
弾性体５８は、例えばスポンジでなるが、折返し板５４を反発力により跳ね返す程度の弾性係数を有するものであれば、何でもよい。しかし、弾性体５８がスポンジで形成されることにより、従来品に備えられていたねじりコイルバネ（国際公開第２０１１／０３０３９５号パンフレット参照）を用いる場合に比べ、構成を簡単にすることができ、コストダウンを図ることができる。また、テープカッターを軽量化することができる。
【００５０】
本発明者らは、弾性体５８として、スポンジの他、ゴムを弾性板５３に取り付けて実験したが、主に樹脂で構成される折返し板５４を用いた場合、スポンジの方の方が、折返し板５４を跳ね返す能力が高かった。
【００５１】
（テープカッターの動作）
以上のように構成されたテープカッター５０の動作を説明する。図９Ａ〜Ｃ及び１０Ａ〜Ｃは、その動作を順に示す図である。
【００５２】
図９Ａに示すように、粘着テープ５の端部に折返し部５ｄが形成され、粘着テープ５は刺衝体６３に刺さった状態で保持されている。ユーザが初めてテープカッター５０を使用するときは、このような折返し部５ｄは形成されていない場合もある。
【００５３】
図９Ｂに示すように、ユーザは、粘着テープ５の所定の位置（例えば図９Ａに示す２つの白矢印Ｄの位置）を掴み、粘着テープ５の端部５ｃの位置が、刃５２の位置を超えるように引き出す。その引き出し方向は矢印Ｃで示される。そうすると、粘着テープ５の下面側である非粘着面５ｂが、刺衝体６３に突き刺される。刺衝体６３の先端面６３ａが、斜め下方向に向かうように形成されているので、先端面６３ａのうち、尖った部分（図８に示す符号６３ｂ）が最初に粘着テープ５に接触する。したがって、刺衝体６３が粘着テープ５に突き刺さりやすくなる。
【００５４】
図９Ｃに示すように、ユーザが粘着テープ５を下方向に押し下げると、刺衝体６３が粘着テープ５を突き破る。刺衝体６３による粘着テープ５への突き刺しの深さが徐々に深くなるように、コイルバネ５９の付勢力に抗してユーザが粘着テープ５を押し下げることにより、弾性板５３及び折返し板５４が押し下げられる。そして、粘着テープ５の非粘着面５ｂ側から刃５２により粘着テープ５が切断される。
【００５５】
図１１は、刺衝体６３により粘着テープ５が突き刺された状態を示す。刺衝体６３が立設の方向に沿った軸（ｚ軸）の周りに捩れるように設けられているので、粘着テープ５とその刺衝体６３との摩擦力を大きくすることができる。したがって、例えば、単純な２次元状の板や、単純な３次元状の立体物に、粘着テープ５が突き刺さされた場合に比べ、粘着テープ５が刺衝体６３から外れにくくなる。これにより、刺衝体６３は、粘着テープ５を確実に定位置に位置決めして保持することができる。
【００５６】
一方で、刺衝体６３は板状に形成されているため、粘着テープ５に形成される突き刺しの穴を極力目立たなく小さくすることができる。
【００５７】
粘着テープ５が切断されると、図１０Ａに示すように、弾性板５３の弾性力（つまりコイルバネ５９の戻り力）により、弾性板５３が非動作時の位置、つまり初期位置に戻り、その時の慣性力により折返し板５４が、軸部５６を中心に反時計回りに回転する。折返し板５４の反時計回りの回転により発生する力によって、粘着テープ５は、その突き刺された部位における刺衝体６３との摩擦力に抗して、上へ持ち上げられる。つまりこの時、刺衝体６３の突き刺し状態から粘着テープ５が解放されようとするが、完全には解放されずに、粘着テープ５はその刺衝体６３による保持状態が維持される。
【００５８】
図１０Ｂに示すように、折返し板５４のさらなる反時計回りの回転により、その刺衝体６３による粘着テープ５の保持位置を支点として、刃５２で切断された粘着テープ５の切断端が折り返される。折返し板５４のフランジ部５４ｂが、粘着テープ５の非粘着面５ｂを、弾性体５８との間で押圧する。その結果、粘着面５ａ同士が接着され、粘着テープ５に折返し部５ｄが形成される。この時、上述したように、折返し板５４に設けられた凹部５４ａにより形成された空間５４ｃ（図３参照）によって、折返し板５４と刺衝体６３とが干渉せずに、折返し板５４が動作することが可能である。
【００５９】
図１０Ｃに示すように、弾性体５８の反発力により、折返し板５４が時計回りに回転し、折返し板５４は非動作時の位置である初期位置の状態（図９Ａ参照）に戻る。
【００６０】
（テープカッターによる効果）
以上のように、本実施形態に係るテープカッター５０によれば、以下のような効果が得られる。
【００６１】
上記のように、刺衝体６３が捩じれの構造を有するので、粘着テープ５との摩擦力が大きくなり、確実に粘着テープ５を保持することができる。これにより、折返し板５４による粘着テープ５の折り返し時に、粘着テープ５の位置が安定する。したがって、折返し板５４は、その粘着テープ５の突き刺し位置を支点として、粘着テープ５の切断端を適切に折り返すことができる。その結果、テープカッター５０は、確実に折り返し部５ｄを形成することができる。
【００６２】
粘着テープが完全に固定するように保持されてしまうと、ユーザが次にテープカッターを使用する場合に、その粘着テープの解放に手間がかかる。また、刺衝体６３の形状が複雑になりすぎると、テープカッターの外観上の美感も損なわれる。本実施形態に係る刺衝部材６０は、粘着テープ５を確実に保持しながらも、適度な加減で刺衝体６３から外しやすく（図１０Ａで説明した突き刺し状態からの適度な解放も同様）、かつ、上記したように突き刺しの痕跡も極力目立たないようにしている。
【００６３】
本実施形態に係る刺衝体６３は、元々は板状であり、その板を捩じるだけで摩擦係数が高められた立体物を形成することができ、コストの高騰を抑えることができる。
【００６４】
また、複数の（例えば２つの）刺衝体６３が設けられることにより、刺衝体６３による粘着テープ５の保持位置の安定度を高めることができる。また、複数の刺衝体６３が設けられることにより、人がそれらに触れた時の力が複数の刺衝体６３に分散されるので、１つの刺衝体が設けられる場合に比べ、安全性を高めることができる。
【００６５】
本発明者らは、本実施形態に係るテープカッター５０を多数回使用した結果、１００％の確率で、折返し部５ｄの形成に成功した。
【００６６】
[第２の実施形態]
【００６７】
図１２及び１３は、本発明の第２の実施形態に係る刺衝部材をそれぞれ示す平面図及び正面図である。これ以降の説明では、上記実施形態で示したテープカッター５０及び刺衝部材６０が含む部材や機能等について同様のものは説明を簡略化または省略し、異なる点を中心に説明する。
【００６８】
本実施形態に係る刺衝部材１６０は、複数、例えば２つの刺衝体１６３を有する。それらの刺衝体１６３は、図１２で見て（刺衝体１６３の立設方向で見て）、粘着テープ５の引き出し方向Ｃに向かうにしたがって互いの距離が近づくように設けられた先端面１６３ａをそれぞれ有する。つまり、それら先端面１６３ａの長手方向が、粘着テープの引き出し方向とは異なるように斜めになる。刺衝体１６３の捩じりの角度が７５°以上８５°程度の角度に設定されている。
【００６９】
このような構成によれば、刺衝体１６３により突き刺された粘着テープの保持位置が、より安定する、という結果が得られた。
【００７０】
[第３の実施形態]
【００７１】
図１４は、本発明の第３の実施形態に係る刺衝部材を示す斜視図である。図１５は、その刺衝体の拡大図である。
【００７２】
この刺衝部材２６０は、ベース板２６１と、ベース板２６１から立設した立設板２６２と、立設板２６２の端部において捩じれるように設けられた１つの刺衝体２６３とを有する。刺衝体２６３の先端面２６３ａの全体形状は、曲線状、典型的には円弧状に形成されている。また、図１５に示すように、先端面２６３ａには、その円弧状に沿って、三角形状の複数の歯２６３ｂが形成されている。つまり先端面２６３ａはのこぎり状に形成されている。
【００７３】
このような構成によれば、刺衝体２６３が１つであるため、粘着テープへの応力が集中し、また、複数の歯２６３ｂによって刺衝体２６３は粘着テープを突き刺しやすくなる。そのように突き刺し能力が高い分、ユーザがこの刺衝体２６３に触れた場合の安全性を考慮して、先端面２６３ａの全体形状が円弧状に形成されている。
【００７４】
また、刺衝体２６３は１つのみ設けられるが、複数の歯２６３ｂが設けられることにより、粘着テープが刺衝体２６３に突き刺された場合に、刺衝体２６３と粘着テープとの保持力（摩擦力）を高めることができる。
【００７５】
[第４の実施形態]
【００７６】
図１６は、本発明の第４の実施形態に係るテープディスペンサを示す斜視図である。
【００７７】
このテープディスペンサ２００において、上記実施形態に係るテープディスペンサ１００と異なる点は、テープディスペンサ２００の本体１１において、テープカッター５０が設けられる位置の反対側に、粘着テープ５を粘着面側から切断する第２の刃１５が設けられる点である。
【００７８】
本実施形態では、ドラム６に対して、テープカッター５０を支持する支持台４が設けられる側とは反対側で、２つの側板２の間に接続された第２の支持台１４が設けられ、第２の刃１５は、この第２の支持台１４に取り付けられている。
【００７９】
このような構成により、ユーザは、粘着テープ５の端部を、第２の刃１５が配置される側に持っていくことにより、通常のテープカッターのように、粘着テープ５を第２の刃１５を用いて粘着面５ａ側から切断することができる。つまり、ユーザは、粘着テープ５の引き出し方向を反転させることにより、テープカッター５０及び第２の刃１５のうちいずれか一方を選択的に使用することができる。
【００８０】
[その他の実施形態]
【００８１】
本発明は、以上説明した実施形態に限定されず、他の種々の実施形態を実現することができる。
【００８２】
上記実施形態に係るテープカッター５０は、文房具として用いられるテープディスペンサに適用された。しかし、文房具に限られず、粘着面を有する長いテープ状の物体であれば、どのような粘着テープにも本技術が適用され得る。
【００８３】
刺衝体の捩じりの角度は、上記各実施形態では、９０°、あるいは７５°以上９０°未満とされたが、これらの範囲に限られない。例えばそれは、７０°以上１３５°以下、３０°以上１８０°以下、あるいは３６０°など、適宜設定可能である。
【００８４】
刺衝体の数は、１つ、または２つに限られず、３つ以上あってもよい。上記第１の実施形態に係る刺衝体が１つのみ設けられていてもよい。
【００８５】
上記刺衝体（刺衝部材）は、ベース体５１の上面に取り付けられたが、弾性板５３の上面に取り付けられていてもよい。
【００８６】
上記実施形態では、刺衝体として、捩れるように設けられた板状の部材を挙げた。しかし、刺衝体は、ネジ状の部材であってもよい。例えばネジの先端を粘着テープに向け、先端と反対側を下側に向けて、ネジ状部材がベース体または弾性体に取り付けられていてもよい。
【００８７】
以上説明した各形態の特徴部分のうち、少なくとも２つの特徴部分を組み合わせることも可能である。
【符号の説明】
【００８８】
５…粘着テープ
５ａ…粘着面
５ｂ…非粘着面
５ｃ…端部
５０…テープカッター
５１…ベース体
５２…刃
５３…弾性板
５３ｄ…貫通口
５４ｂ…フランジ部
５５…軸部（第１の軸部）
５６…軸部（第２の軸部）
５８…弾性体
６０、１６０、２６０…刺衝部材
６３、１６３、２６３…刺衝体
６３ａ、１６３ａ、２６３ａ…先端面
１００、２００…テープディスペンサ
２６３ｂ…歯
【図１】
2014009092.tif 000003
【図２】
2014009092.tif 000004
【図３】
2014009092.tif 000005
【図４】
2014009092.tif 000006
【図５】
2014009092.tif 000007
【図６】
2014009092.tif 000008
【図７】
2014009092.tif 000009
【図８】
2014009092.tif 000010
【図９】
2014009092.tif 000011
【図１０】
2014009092.tif 000012
【図１１】
2014009092.tif 000013
【図１２】
2014009092.tif 000014
【図１３】
2014009092.tif 000015
【図１４】
2014009092.tif 000016
【図１５】
2014009092.tif 000017
【図１６】
2014009092.tif 000018